(57)【要約】【課題】  外装カバー内側に配置される電気基板へのアクセスを容易にする共に、電気基板へのアクセスの際に外装カバーが損傷することを防止する画像形成装置を提供する。【解決手段】  外装カバーを構成し、開閉機能を備えた開閉カバーと、電気基板が装着される基板装着部及び前記基板装着部に装着される電気基板を覆う位置に係合保持される基板カバー部を有する基板装着ユニットを備え、前記基板装着ユニットは、前記基板カバー部の係合保持を解除するための解除部を有し、前記基板カバー部は、前記開閉カバーが閉状態では該開閉カバーに覆われ、前記開閉カバーが開状態では露出される画像形成装置。【選択図】  図２
2020095138.tif 000002
【特許請求の範囲】
【請求項１】
外装カバーを構成し、開閉機能を備えた開閉カバーと、
電気基板が装着される基板装着部と、前記基板装着部に装着される電気基板を覆う位置に係合保持される基板カバー部と、を有する基板装着ユニットと、を備え、
前記基板装着ユニットは、前記基板カバー部の係合保持を解除するための解除部を有し、
前記基板カバー部は、前記開閉カバーが閉状態では該開閉カバーに覆われ、前記開閉カバーが開状態では露出されることを特徴とすることを特徴とする画像形成装置。
【請求項２】
外装カバーの一部を構成し、前記基板装着ユニットが設けられる固定カバーを更に有することを特徴とする請求項１に記載の画像形成装置。
【請求項３】
前記基板装着ユニットは、前記固定カバーの前記画像形成装置の本体上方を覆う面に設けられ、前記開閉カバーは前記固定カバーの前記基板装着ユニットが設けられる面を開閉することを特徴とする請求項２に記載の画像形成装置。
【請求項４】
前記基板装着ユニットは、前記固定カバーの前記画像形成装置の本体前方を覆う面に設けられ、前記開閉カバーは前記固定カバーの前記基板装着ユニットが設けられる面を開閉することを特徴とする請求項２に記載の画像形成装置。
【請求項５】
前記基板装着ユニットは、前記開閉カバーの裏面に設けられることを特徴とする請求項１に記載の画像形成装置。
【請求項６】
前記開閉カバーは、前記画像形成装置の本体前方及び上方を開閉する面を有し、前記基板装着ユニットは前記開閉カバーの前記上方を開閉する面の裏面に設けられることを特徴とする請求項５に記載の画像形成装置。
【請求項７】
前記開閉カバーは、前記画像形成装置の本体上方を開閉する面を有し、前記基板装着ユニットは前記開閉カバーの前記上方を開閉する面の裏面に設けられることを特徴とする請求項５に記載の画像形成装置。
【請求項８】
前記解除部は、前記基板カバー部の前記係合保持を解除するために工具を挿入するための、前記基板カバー部又は前記基板装着部に設けられる工具挿入部であることを特徴とする請求項１乃至請求項７のいずれか１項に記載の画像形成装置。
【請求項９】
基板装着部は、前記電気基板を収納する凹部を有し、前記基板カバー部は、前記凹部を覆うことを特徴とする請求項１乃至請求項８のいずれか１項に記載の画像形成装置。
【請求項１０】
前記基板カバー部は、前記電気基板を覆う上面と、前記上面から下方に鈍角に延びる斜面を有することを特徴とする請求項１乃至請求項９のいずれか１項に記載の画像形成装置。
【請求項１１】
前記基板カバー部は、前記斜面から下方に前記上面に対して略垂直方向に延びる側面を有することを特徴とする請求項１０に記載の画像形成装置。
【請求項１２】
前記基板カバー部は、前記電気基板を覆う上面から上方に突出する突出部を有することを特徴とする請求項１乃至請求項１１のいずれか１項に記載の画像形成装置。
【請求項１３】
前記電気基板は増設される無線通信基板であることを特徴とする請求項１乃至請求項１２のいずれか１項に記載の画像形成装置。
【請求項１４】
前記開閉カバーは、開状態で前記画像形成装置への電源供給を遮断するインターロック作用部を有することを特徴とする請求項１乃至請求項１３のいずれか１項に記載の画像形成装置。
【請求項１５】
前記開閉カバーの前記開閉機能により、前記開閉カバーは、開状態でカートリッジを着脱可能にすることを特徴とする請求項１乃至請求項１４のいずれか１項に記載の画像形成装置。
【発明の詳細な説明】
【技術分野】
【０００１】
本発明は、電子写真複写機、電子写真プリンタ（例えば、レーザビームプリンタ、ＬＥＤプリンタ）の画像形成装置に関するものである。
【背景技術】
【０００２】
従来、画像形成装置において、電気基板を外装カバーの内側に配置する構成が特許文献１に開示されている。このような構成とすることで、ユーザが電気基板に触れて電気基板に電気的な不具合を生じさせるリスクを低減することができる。
【０００３】
近年、市場における多様なニーズに対応するため、画像形成装置において無線通信機能(Wi-Fi(登録商標)、Bluetooth(登録商標)、NFC等)拡張の要求が高まっている。そのような背景の中で、電気基板である無線通信基板へのアクセスを容易にし、交換／取り付け／取り外し性能を向上させる必要がある。また、電気基板へのアクセス時に外装カバーや画像形成装置が傷つくことを防止する必要もある。
【０００４】
特許文献１に開示されるような構成では、図９に示されるように電気基板１０１は画像形成装置１０４の外装カバーを構成する左カバー１０２の内部に配置されている。また、左カバー１０２は、例えば、爪部１０２ｂとフレーム１０６穴部１０６ａにより画像形成装置１０４に固定される。
【０００５】
そして、ユーザやサービスマンが電気基板１０１にアクセスする際は、爪部１０２ｂと穴部１０６ａの係合を解除し、左カバー１０２を画像形成装置１０４から取り外す必要がある。
【先行技術文献】
【特許文献】
【０００６】
【特許文献１】特開２００５−２１４９９８号公報
【発明の概要】
【発明が解決しようとする課題】
【０００７】
しかしながら、左カバー１０２は、電気基板１０１の他に駆動部１０７を覆う必要があるため、画像形成装置１０４の外部から取り外し難い構成となっており、ユーザは取り外しが容易でなかった。さらに、左カバーが低圧電源基板及び／又は高圧電源基板を覆う場合もあり、同様に画像形成装置から取り外し難い構成となっていた。
【０００８】
また、左カバー１０２はデザイン性を維持するため、工具（例えば、精密ドライバー等）を爪部１０２ｂと穴部１０６ａに挿入して左カバー１０２を取り外すようにするための挿入穴や溝を設けることが難しい。そのため、例えば、左カバー１０２の端面１０２ａとフレーム１０６の隙間から工具を挿入し、爪部１０２ｂと穴部１０６ａの係合を解除しなければならないが、その際に、工具により左カバー１０２の端面１０２ａに傷や打痕をつける可能性があった。
【０００９】
本発明は以上に事情に鑑みなされたもので、外装カバー内側に配置される電気基板へのアクセスを容易にする共に、電気基板へのアクセスの際に外装カバーが損傷することを防止する画像形成装置を提供しようとするものである。
【課題を解決するための手段】
【００１０】
上記目的を達成するために本発明は、外装カバーを構成し、開閉機能を備えた開閉カバーと、電気基板が装着される基板装着部及び前記基板装着部に装着される電気基板を覆う位置に係合保持される基板カバー部を有する基板装着ユニットを備え、前記基板装着ユニットは、前記基板カバー部の係合保持を解除するための解除部を有し、前記基板カバー部は、前記開閉カバーが閉状態では該開閉カバーに覆われ、前記開閉カバーが開状態では露出される画像形成装置とするものである。
【発明の効果】
【００１１】
本発明によれば、外装カバー内側に配置される電気基板へのアクセスを容易にする共に、電気基板へのアクセスの際に外装カバーが損傷することを防止する画像形成装置を提供できるものである。
【図面の簡単な説明】
【００１２】
【図１】第1実施形態に係る電子写真プリンタの概略正面断面図である。
【図２】第１実施形態に係る電子写真プリンタの分解斜視図である。
【図３】第１実施形態に係る電子写真プリンタの斜視図及び側面断面図である。
【図４】第１実施形態に係る電子写真プリンタの部分拡大分解斜視図及び断面図である。
【図５】第１実施形態の変形例を説明するための説明図である。
【図６】第２実施形態に係る電子写真プリンタの分解斜視図及び部分拡大分解斜視図である。
【図７】第３実施形態に係る電子写真プリンタの分解斜視図及び部分拡大分解斜視図である。
【図８】第３実施形態の変形例を説明するための説明図である。
【図９】従来の課題を説明するための説明図である
【発明を実施するための形態】
【００１３】
以下、図面を参照して本発明の好適な実施形態を詳細に説明する。なお、以下の実施形態に記載されている構成要素はあくまで例示であり、本発明の趣旨を逸脱しない範囲において本発明が適用される装置の構成や各種条件は適宜修正又は変更可能であり、以下の実施形態に限定されるものではない。
【００１４】
〔第１実施形態〕
図１は第１実施形態に係る画像形成装置としての電子写真プリンタの概略正面断面図である。図１において、画像形成装置であるプリンタ１は、シートＳ（プリント用紙等の記録材）にトナー像を転写する画像形成部と、画像形成部へシートＳを供給するシート給送部と、シートＳにトナー像を定着する定着部を備える。
【００１５】
画像形成部は、感光ドラム５１、帯電ローラ５２、レーザスキャナユニット５３、現像スリーブ５６、転写ローラ５５などを備える。
【００１６】
画像形成に際しては、不図示の制御部が画像形成ジョブ信号を受信すると、シート積載部６０に積載収納されたシートＳが、給送ローラ５９、搬送ローラ５８によって画像形成部に送り出される。
【００１７】
一方、画像形成部においては、帯電ローラ５２に帯電バイアスが印加されることで、帯電ローラ５２と接触する感光ドラム５１の表面が帯電される。さらに、レーザスキャナユニット５３が、内部に備える光源（不図示）から画像情報に応じてレーザ光を感光ドラム５１に照射する。これにより感光ドラム５１の電位が部分的に低下して画像情報に応じた静電潜像が感光ドラム５１の表面に形成される。
【００１８】
そして、現像スリーブ５６に現像バイアスが印加されることで、感光ドラム５１の表面に形成された静電潜像に現像スリーブ５６からトナーが付着され、感光ドラム５１の表面にトナー像が形成される。感光ドラム５１表面に形成されたトナー像は、感光ドラム５１と転写ローラ５５の間に形成される転写ニップ部に送り込まれる。
【００１９】
トナー像が転写ニップ部に到着すると、転写ローラ５５によりトナーと逆極性の転写バイアスが印加される。これにより転写ニップ部に搬送されたシートＳに対してトナー像が転写される。
【００２０】
トナー像が転写されたシートＳは定着装置５７に送られ、定着装置５７によりシートＳにトナー像が加熱圧着されて定着される。その後、シートＳは反転／排出ローラ９により排出トレイ６３に排出される。
【００２１】
また、シートＳが両面印字される場合は、反転／排出ローラ９が逆回転することで、シートＳは両面搬送路６１へ搬送される。
【００２２】
図２は図１のプリンタ１の分解斜視図である。図２において、プリンタ１は、プリンタ１の本体上方を覆う外装カバーを構成する固定カバーとしての上カバー２と、プリンタ１の本体左側方全体並びに前方及び後方の一部を覆う外装カバーを構成する固定の左カバー７を有する。さらに、プリンタ１は、プリンタ１の本体前方を覆う外装カバーを構成し、ジャム処理やカートリッジ交換（着脱）のために開閉可能な開閉機能を備えた開閉カバーとしての前開閉カバー３を有する。
【００２３】
プリンタ１の本体左側方の左カバー７の内側には、インターロック用の電気スイッチ６が配置されている。一方、左カバー７のプリンタ１の本体前方を覆う面には、図３で後述する前開閉カバー３が閉じた際に前開閉カバー３の裏側に設けられた突起部３ｂが左カバー７を通過して電気スイッチ６に作用できるようにするための開口部７ａが形成されている。
【００２４】
上カバー２は、プリンタ１の本体上方を覆う面にプリンタ１の前方に一段下がった段差面２ｈを有している。その段差面２ｈの左側には略６５ｍｍ（幅）×６５ｍｍ（奥行）×１５ｍｍ（深さ）の矩形の凹部２ａがある。そのため凹部の底面は、段差面よりも鉛直方向の下方の位置にある。また、凹部２ａは電気スイッチ６より上方に設けられている。この凹部２ａに電気基板として外部機器との通信のために増設される無線通信基板４を収納保持するようになっている。
【００２５】
無線通信基板４は、上カバー２に設けられた基板装着ユニットを構成する基板装着部としての凹部２ａと、凹部２ａを覆う基板装着ユニットを構成する基板カバー部としての基板カバー５に囲われることにより、不要なアクセスから保護される。
【００２６】
前開閉カバー３は、プリンタ１の本体前方上半分及び上カバー２の基板カバー５に覆われた凹部２ａを含む段差面２ｈの上方を覆う面が回動中心３ａの回りに回動して開閉可能となっている。また、前開閉カバー３の段差面２ｈの上方を覆う面の右端にはプリンタ１を起動するための電源ボタン８が設けられている。図３の（Ａ）、（Ｂ）は、それぞれ図１のプリンタ１の前開閉カバー３が開状態の斜視図及び電気スイッチ６近傍の側面断面図である。また、図３の（Ｃ）、（Ｄ）は、それぞれ図１のプリンタ１の前開閉カバー３が閉状態のプリンタ１の斜視図及び電気スイッチ６近傍の側面断面図である。
【００２７】
図３において、電気スイッチ６は、可動アーム部６ａを有する。可動アーム部６ａの位置が変わることでプリンタ１への電力供給と遮断を切り替えるインターロックスイッチとなっている。
【００２８】
前開閉カバー３には、プリンタ１の本体前方を覆う面の裏面から突出したインターロック作用部としての突起部３ｂが設けられている。突起部３ｂは、前開閉カバー３が閉じられると左カバー７の開口部７ａに入り込み、電気スイッチ６の可動アーム部６ａに当接する。これにより、プリンタ１へ電源が供給され（以降、オンと記述する）、インターロックが解除される。
【００２９】
また、前開閉カバー３が閉状態では、基板カバー５は前開閉カバー３により覆われている。そのためユーザやサービスマンは無線通信基板４にアクセスすることはできない。
【００３０】
一方、前開閉カバー３が開くと、前開閉カバー３の突起部３ｂは左カバー７の開口部７ａから抜け、電気スイッチ６の可動アーム部６ａに当接しない状態となる。これによって、プリンタ１への電源供給は遮断され（以降、オフと記述する）、電源ボタン８がオンされても電源供給が行われないインターロックが作用する。
【００３１】
また、前開閉カバー３が開状態では、基板カバー５は前開閉カバー３から露出している。そのためユーザやサービスマンは無線通信基板４にアクセス可能となる。
【００３２】
図４の（Ａ）は基板カバー５付近の拡大斜視図、図４の（Ｂ）は図４の（Ａ）のＡ−Ａ断面図である。
【００３３】
図４において、基板カバー５は、上面５ａ、爪部５ｅ、爪アクセス部５ｆ、側面５ｂ、斜面５ｃ、突出部５ｄを有する。基板カバー５は、上カバー２に対して着脱自在に構成され、爪部５ｅが上カバー２の凹部２ａの底面に設けられた穴部２ｂに係合することで、上カバー２に保持される。これにより、基板カバー５は、装着された状態の無線通信基板４を覆う位置に係合保持される。基板装着ユニットを構成する解除部又は工具挿入部としての爪アクセス部５ｆは、斜面５ｃ近傍に設けられた溝形状である。ユーザやサービスマンは不図示の工具を爪アクセス部５ｆに挿入することで、穴部２ｂによる爪部５ｅの係合保持を解除し、基板カバー５を上カバー２から取り外すことができる。
【００３４】
また、基板カバー５は、装着された状態で無線通信基板４の上方を覆う上面５ａと、上面５ａから下方に鈍角に延びる斜面５ｃと、斜面５ｃから下方に上面５ａに対して略垂直方向に延びる側面５ｂにより、無線通信基板４を覆うようになっている。
【００３５】
無線通信基板４の交換をサービスマンが行い、ユーザが交換を行わない画像形成装置においては、斜面５ｃによりユーザが基板カバー５を掴み難くしている。これにより、ユーザがジャム処理やカートリッジ交換の際に誤って基板カバー５を外してしまうリスクを低減できる。側面５ｂは、例えば、静電気放電が無線通信基板４に到達する経路（図４の（Ｂ）の破線線部）が迂回され、無線通信基板４が通信不良を起こす等の電気的な不具合リスクを低減できる。
【００３６】
また、上面５ａから上方に突出して設けられる突出部５ｄにより、例えば、出荷輸送の落下衝撃により爪部５ｅが穴部２ｂから外れようとしても、突出部５ｄが前開閉カバー３に当接して、基板カバー５が外れるリスクを低減できる。
【００３７】
以上説明したように、上カバー２の凹部２ａに無線通信基板４を配置し、基板カバー５で囲う構成により、図９で説明した左カバー１０２の内側に電気基板１０１を配置するような構成に比べて、無線通信基板４へのアクセスを容易に行うことができる。
【００３８】
また、無線通信基板４にアクセスする際に、外装カバー（例えば、左カバー７）を外す必要がないため、外装カバーが傷つくことを防止できる。
【００３９】
さらに、無線通信基板４にアクセスする際は、前開閉カバー３は開状態で電気スイッチ６がオフとなる。そのため、ユーザやサービスマンが誤って電源ボタン８を押してしまっても、プリンタ１が動作することはない。これによって、無線通信基板４の取り付け等のために使用した工具が反転／排出ローラ９の回転動作によりプリンタ１の内部に引き込まれ、プリンタ１にダメージを与えてしまうこともない。
【００４０】
また、前開閉カバー３が閉状態では、無線通信基板４は基板カバー５と前開閉カバー３の両方に覆われているため、例えば、静電放電による無線通信基板４の電気的な不具合リスクを低減できる。
【００４１】
なお、本実施形態では、無線通信基板４はプリンタ１の中心より左側に配置されているが、右側に配置されるようにしても良い。
【００４２】
また、本実施形態では、前開閉カバー３が回動中心３ａの回りに回動して開閉可能に設けられ、上カバー２の凹部２ａに無線通信基板４を配置し、基板カバー５で囲う構成について説明した。
【００４３】
これに対して、図５に示されるように、上カバー１５が回動中心１５ａの回りを回動する開閉機能を有する開閉カバーであっても良い。この場合、上カバー１５で覆われるプリンタ１の本体上方天を覆う面に基板装着部にとしての凹部１６ａを設け、無線通信基板を収納保持して基板装着ユニットを構成する基板カバー部としての基板カバー５で覆う構成となる。上カバー１５で覆われる面は、左カバー１６の一部でも良く、上カバーとは異なる新たなプラスチック部材を用いても良い。なお、その他の構成については、上記実施形態で説明した構成と同様の構成である。
【００４４】
〔第２実施形態〕
次に、第２実施形態について説明する。なお、以下の説明において、第１実施形態と同様の構成は図面に同一の符号を付すと共に適宜説明を省略する。
【００４５】
図６の（Ａ）はプリンタ１の全体構成を示す分解斜視図、図６の（Ｂ）はプリンタ１の基板カバー５周辺の拡大分解斜視図である。
【００４６】
図６において、本実施形態は、第１実施形態に対して上カバー２が上カバー１２に、左カバー７が左カバー１３に置き換わっていることを除き、第１実施形態と同様の構成である。
【００４７】
開閉カバーとしての前開閉カバー３は、プリンタ１の本体前方上半分及び上カバー２の上方を覆う面が回動中心１１ｃの回りに回動して開閉可能な開閉機能を備え、ジャム処理やカートリッジ交換のために開閉可能となっている。
【００４８】
固定カバーとしての左カバー１３は、左カバー１３のプリンタ１の本体前方を覆う面に設けられた基板装着ユニットを構成する基板装着部としての凹部１３ａにおいて、外部機器との通信のために増設される無線通信基板４を保持する。無線通信基板４は、基板装着ユニットを構成する基板カバー部としての基板カバー５と左カバー１３に設けられた凹部１３ａに囲われることにより、ユーザのアクセスから保護される。
【００４９】
基板カバー５は、前開閉カバー３が閉状態では、前開閉カバー３の前方を覆う面により覆われている。そのためユーザやサービスマンは無線通信基板４にアクセスすることはできない。一方、前開閉カバー３が開状態では、基板カバー５は前開閉カバー３から露出している。そのためユーザやサービスマンは無線通信基板４にアクセス可能となる。
【００５０】
基板カバー５は、左カバー１３に対して着脱自在に構成され、爪部５ｅが左カバー１３の凹部１３ａの底面に設けられた穴部１３ｂに係合することで、左カバー１３の凹部１３ａに保持される。これにより、基板カバー５は、装着された状態の無線通信基板４を覆う位置に係合保持される。ユーザやサービスマンは不図示の工具を、基板装着ユニットを構成する解除部又は工具挿入部としての爪アクセス部５ｆに挿入することで、穴部１３ｂによる爪部５ｅの係合保持を解除し、基板カバー５を左カバー１３から取り外すことができる。
【００５１】
以上説明したように、左カバー１３の凹部１３ａに無線通信基板４を配置し、基板カバー５で囲う構成により、図９で説明した左カバー１０２の内側に電気基板１０１を配置するような構成に比べて、無線通信基板４へのアクセスを容易に行うことができる。
【００５２】
また、無線通信基板４にアクセスする際に、外装カバー（例えば、左カバー１３）を外す必要がないため、外装カバーが傷つくことを防止できる。
【００５３】
さらに、無線通信基板４にアクセスする際は、前開閉カバー３は開状態で電気スイッチ６はオフとなる。そのため、ユーザやサービスマンが誤って電源ボタン８を押してしまっても、プリンタ１が動作することはない。これによって、無線通信基板４の取り付け等のために使用した工具が反転／排出ローラ９の回転動作によりプリンタ１の内部に引き込まれ、プリンタ１にダメージを与えてしまうこともない。
【００５４】
また、前開閉カバー３が閉状態では、無線通信基板４は、基板カバー５と前開閉カバー３の両方に覆われているため、例えば、静電放電による無線通信基板４の電気的な不具合リスクを低減できる。
【００５５】
また、本実施形態では、無線通信基板４は、プリンタ１の本体前方に配置されている。これにより、上カバー１２の上方にイメージスキャナーを搭載し、上カバーの上方にアクセスが難しい場合においても、ユーザやサービスマンが無線通信基板４にアクセス容易なプリンタ１を提供できる。
【００５６】
また、本実施形態では、無線通信基板４は左カバー１３に配置されているが、右カバー１４に配置されるようにしても良い。
【００５７】
本実施形態において、説明しなかった他の構成は第１実施形態と同様の構成である。
【００５８】
〔第３実施形態〕
次に、第３実施形態について説明する。なお、以下の説明において、第１の実施形態と同様の構成は図面に同一の符号を付すと共に適宜説明を省略する。
【００５９】
図７の（Ａ）はプリンタ１の全体構成を示す分解斜視図、図７の（Ｂ）は基板カバー５周辺の拡大分解斜視図である。
【００６０】
図７において、本実施形態は、第１実施形態に対して上カバー２が上カバー１０に、前開閉カバー３が前開閉カバー１１に置き換わっていることを除き、第１実施形態と同様の構成である。
【００６１】
開閉カバーとしての前開閉カバー１１は、プリンタ１の本体前方上半分及び上カバー２の上方を覆う面が回動中心１１ｃの回りに回動して開閉可能な開閉機能を備え、ジャム処理やカートリッジ交換のために開閉可能となっている。また、前開閉カバー１１は、上カバー２の上方を開閉する面の裏面に設けられた基板装着ユニットを構成する基板装着部としての凹部１１ａにおいて、外部機器との通信のために増設される無線通信基板４を収納保持する。無線通信基板４は、基板装着ユニットを構成する基板カバー部としての基板カバー５と前開閉カバー１１に設けられた凹部１１ａに囲われることにより、ユーザのアクセスから保護される。
【００６２】
基板カバー５は、前開閉カバー３が閉状態では、前開閉カバー３の裏面に設けられているため露出しない。そのためユーザやサービスマンは無線通信基板４にアクセスすることはできない。一方、前開閉カバー３が開状態では、前開閉カバー３の裏面に設けられている基板カバー５が露出する。そのためユーザやサービスマンは無線通信基板４にアクセス可能となる。
【００６３】
基板カバー５は、前開閉カバー１１に対して着脱自在に構成され、爪部５ｅが前開閉カバー１１の凹部１１ａの底面に設けられた穴部１１ｂに係合することで、前開閉カバー１１の凹部１１ａに保持される。これにより、基板カバー５は、装着された状態の無線通信基板４を覆う位置に係合保持される。ユーザやサービスマンは不図示の工具を、基板装着ユニットを構成する解除部又は工具挿入部としての爪アクセス部５ｆに挿入することで、穴部１１ｂによる爪部５ｅの係合保持を解除し、基板カバー５を前開閉カバー１１から取り外すことができる。
【００６４】
以上説明したように、前開閉カバー１１の凹部１１ａに無線通信基板４を配置し、基板カバー５で囲う構成により、図９で説明した左カバー１０２の内側に電気基板１０１を配置するような構成に比べて、無線通信基板４へのアクセスを容易に行うことができる。
【００６５】
また、無線通信基板４にアクセスする際に、外装カバー（例えば、左カバー７）を外す必要がないため、外装カバーが傷つくことを防止できる。
【００６６】
さらに、無線通信基板４にアクセスする際は、前開閉カバー１１は開状態で電気スイッチ６はオフとなる。そのためユーザやサービスマンが誤って電源ボタン８を押してしまっても、プリンタ１が動作することはない。これによって、無線通信基板４の取り付け等のために使用した工具が反転／排出ローラ９の回転動作によりプリンタ１の内部に引き込まれ、プリンタ１にダメージを与えてしまうこともない。
【００６７】
また、前開閉カバー１１が閉状態では、無線通信基板４は、基板カバー５と前開閉カバー１１の両方に覆われているため、例えば、静電放電による無線通信基板４の電気的な不具合リスクを低減できる。
【００６８】
また、本実施形態では、無線通信基板４と前開閉カバー１１の間に配置されている部品はない。これにより、プリンタ１の外側に対し無線通信基板４の無線性能を向上させることができる。（電波が到達する距離を長くすることができる）。
【００６９】
また、本実施形態では、前開閉カバー１１が回動中心１１ｃの回りに回動して開閉可能に設けられ、前開閉カバー１１の凹部１１ａに無線通信基板４を配置し、基板カバー５で囲う構成について説明した。
【００７０】
これに対して、図８に示されるように、上カバー１７が回動中心１７ｂの回りに回動する開閉機能を有する開閉カバーであってもよい。この場合、上カバー１７のプリンタ１の本体上方を開閉可能にした面の内側に基板装着ユニットを構成する基板装着部としての凹部１７ａを設けて無線通信基板４を収納保持し、基板装着ユニットを構成する基板カバー部としての基板カバー５で覆う構成となる。なお、その他の構成については、上記実施形態で説明した構成と同様の構成である。
【００７１】
なお、以上の各実施形態では、爪アクセス部５ｆは基板カバー５に設けられているが、は、基板カバー５を係合保持する凹部側に設けても良い。
【００７２】
また、爪アクセス部５ｆは工具を挿入する構成ではなく、工具を作用させる突起であっても良い。
【００７３】
また、以上の各実施形態では、基板カバー５は、着脱可能に係合保持されるようになっているが、開閉可能に係合保持されるような構成であっても良い。
【００７４】
また、以上の各実施形態では、各カバーに無線通信基板４や基板カバー５保持されるようになっているが、プリンタ１の本体枠体に保持されるような構成であって良い。
【００７５】
また、以上の各実施形態では、プリンタ１が単一の無線通信基板４や基板カバー５を有する構成について説明したが、複数の無線通信基板４や基板カバー５を有する構成としても良い。
【００７６】
また、以上の各実施形態を組み合わせた構成でも良い。例えば、第１実施形態と第２実施形態を組み合わせるようにしても良い。
【００７７】
また、以上の各実施形態において、無線通信基板４に限らずメモリ基板やフォーマッタ基板等の他の電気基板であっても同様に適用できるものである。
【符号の説明】
【００７８】
１…プリンタ
２、１０、１２，１５、１７…上カバー
２ａ、１１ａ、１３ａ、１６ａ、１７ａ…凹部
２ｂ、１１ｂ、１３ｂ…穴部
３、１１…前開閉カバー
３ａ、１１ｃ、１５ａ，１７ｂ…回動中心
３ｂ…突起部
４…無線通信基板
５…基板カバー
５ａ…上面
５ｂ…側面
５ｃ…斜面
５ｄ…突出部
５ｅ…爪部
５ｆ…爪アクセス部
６…電気スイッチ
６ａ…可動アーム部
７、１３、１６…左カバー
８…電源ボタン
９…反転／排出ローラ
【図１】
2020095138.tif 000003
【図２】
2020095138.tif 000004
【図３】
2020095138.tif 000005
【図４】
2020095138.tif 000006
【図５】
2020095138.tif 000007
【図６】
2020095138.tif 000008
【図７】
2020095138.tif 000009
【図８】
2020095138.tif 000010
【図９】
2020095138.tif 000011